【手続補正書】
【提出日】平成24年3月6日(2012.3.6)
【手続補正１】
【補正対象書類名】特許請求の範囲
【補正対象項目名】全文
【補正方法】変更
【補正の内容】
【特許請求の範囲】
【請求項１】
導電材料からなる配線と絶縁性の樹脂で構成されたｎ（ｎは４以上の整数）層の配線層と、織布状の繊維束に絶縁性の樹脂が含浸された（ｎ−１）層の樹脂基材層とが、交互に重なり合う状態で積層された多層配線基板であって、
前記（ｎ−１）層の樹脂基材層のうち少なくとも１層において、
繊維束の経糸、または、緯糸のどちらか一方のみの全ての糸が、他のすべての層の繊維束の糸と線膨張係数が異なり、他方の全ての糸が、他の層の繊維束の何れかの糸と同じ線膨張係数を有することを特徴とする多層配線基板。
【請求項２】
ｎは偶数であり、
かつｎ／２番目の前記樹脂基材層を境として、一方の実装面から数えて１番目から（ｎ／２）番目までの前記配線層の残銅率の平均値が、（ｎ／２＋１）番目からｎ番目までの前記配線層の残銅率の平均値よりも小さく、
１番目から（ｎ／２−１）番目までの前記樹脂基材層のうち少なくとも１層の前記繊維束の経糸もしくは緯糸の線膨張係数が、前記他の繊維束の糸の前記線膨張係数より１×１０-6以上小さいことを特徴とする請求項１に記載の多層配線基板。
【請求項３】
前記１番目の樹脂基材層の前記繊維束の経糸もしくは緯糸の線膨張係数が、前記他の繊維束の糸の前記線膨張係数より１×１０-6以上小さいことを特徴とする請求項２に記載の多層配線基板。
【請求項４】
ｎは奇数であり、
かつ（ｎ＋１）／２番目の前記配線層を境として、一方の実装面から数えて１番目から（ｎ-１）／２番目までの前記配線層の残銅率の平均値が、（ｎ＋３）／２番目からｎ番
目までの前記配線層の残銅率の平均値より小さく、
１番目から（ｎ−１）／２番目までの前記樹脂基材層のうち少なくとも１層の前記繊維束の経糸もしくは緯糸の線膨張係数が、前記他の繊維束の糸の前記線膨張係数より１×１０-6以上小さいことを特徴とする請求項１に記載の多層配線基板。
【請求項５】
ｎは偶数であり、
かつｎ／２番目の前記樹脂基材層を境として、一方の実装面から数えて１番目から（ｎ／２）番目までの前記配線層の残銅率の平均値が、（ｎ／２＋１）番目からｎ番目までの前記配線層の残銅率の平均値よりも小さく、
ｎ／２番目から（ｎ−１）番目までの前記樹脂基材層のうち少なくとも１層の前記繊維束の経糸もしくは緯糸の線膨張係数が、前記他の繊維束の糸の前記線膨張係数より１×１０-6以上大きいことを特徴とする請求項１に記載の多層配線基板。
【請求項６】
前記（ｎ−１）番目の樹脂基材層の前記繊維束の経糸もしくは緯糸の線膨張係数が、前記他の繊維束の糸の前記線膨張係数より１×１０-6以上大きいことを特徴とする請求項４に記載の多層配線基板。
【請求項７】
ｎは奇数であり、
かつ（ｎ＋１）／２番目の前記配線層を境として、一方の実装面から数えて１番目から（ｎ−１）／２番目までの前記配線層の残銅率の平均値が、（ｎ＋３）／２番目からｎ番目までの前記配線層の残銅率の平均値より小さく、
（ｎ＋１）／２番目から（ｎ−１）番目までの前記樹脂基材層のうち少なくとも１層の前記繊維束の経糸もしくは緯糸の線膨張係数が、前記他の繊維束の糸の前記線膨張係数より１×１０-6以上大きいことを特徴とする請求項１に記載の多層配線基板。
【請求項８】
前記少なくとも１層の前記繊維と前記他の層の繊維の前記線膨張係数の差が、６×１０-6以上大きい請求項２から７のうちいずれか１項に記載の多層配線基板。
【請求項９】
前記少なくとも１層の前記繊維がアラミド繊維であり、前記他の層の繊維がガラス繊維である請求項１から８のうちいずれか１項に記載の多層配線基板。 
【手続補正２】
【補正対象書類名】明細書
【補正対象項目名】００１９
【補正方法】変更
【補正の内容】
【００１９】
上記目的を達成するために、本発明に係る多層配線基板は、
導電材料からなる配線と絶縁性の樹脂で構成されたｎ（ｎは４以上の整数）層の配線層と、織布状の繊維束に絶縁性の樹脂が含浸された（ｎ−１）層の樹脂基材層とが、交互に重なり合う状態で積層された多層配線基板であって、
前記（ｎ−１）層の樹脂基材層のうち少なくとも１層において、
繊維束の経糸、または、緯糸のどちらか一方のみの全ての糸が、他のすべての層の繊維束の糸と線膨張係数が異なり、他方の全ての糸が、他の層の繊維束の何れかの糸と同じ線膨張係数を有するものである。
【手続補正３】
【補正対象書類名】明細書
【補正対象項目名】００２０
【補正方法】変更
【補正の内容】
【００２０】
ここで、ｎが偶数の場合、
ｎ／２番目の前記樹脂基材層を境として、一方の実装面から数えて１番目から（ｎ／２）番目までの前記配線層の残銅率の平均値が、（ｎ／２＋１）番目からｎ番目までの前記配線層の残銅率の平均値より小さく、
１番目から（ｎ／２−１）番目までの前記樹脂基材層のうち少なくとも１層の前記繊維束の経糸もしくは緯糸の線膨張係数が、前記他の繊維束の糸の前記線膨張係数よりも小さいことが好ましい。
【手続補正４】
【補正対象書類名】明細書
【補正対象項目名】００２１
【補正方法】変更
【補正の内容】
【００２１】
また、前記１番目の樹脂基材層の前記繊維束の経糸もしくは緯糸の線膨張係数が、前記他の繊維束の糸の前記線膨張係数よりも小さいことが好ましい。 
【手続補正５】
【補正対象書類名】明細書
【補正対象項目名】００２２
【補正方法】変更
【補正の内容】
【００２２】
一方、ｎが奇数の場合、
（ｎ＋１）／２番目の前記配線層を境として、一方の実装面から数えて１番目から（ｎ−１）／２番目までの前記配線層の残銅率の平均値が、（ｎ＋３）／２番目からｎ番目までの前記配線層の残銅率の平均値より小さく、
１番目から（ｎ−１）／２番目までの前記樹脂基材層のうち少なくとも１層の前記繊維束の経糸もしくは緯糸の線膨張係数が、前記他の繊維束の糸の前記線膨張係数よりも小さいことが好ましい。
【手続補正６】
【補正対象書類名】明細書
【補正対象項目名】００２３
【補正方法】変更
【補正の内容】
【００２３】
更に、ｎが偶数の場合、
ｎ／２番目の前記樹脂基材層を境として、一方の実装面から数えて１番目から（ｎ／２）番目までの前記配線層の残銅率の平均値が、（ｎ／２＋１）番目からｎ番目までの前記配線層の残銅率の平均値より小さく、
ｎ／２番目から（ｎ−１）番目までの前記樹脂基材層のうち少なくとも１層の前記繊維束の経糸もしくは緯糸の線膨張係数が、前記他の繊維束の糸の前記線膨張係数よりも大きいことが好ましい。 
【手続補正７】
【補正対象書類名】明細書
【補正対象項目名】００２４
【補正方法】変更
【補正の内容】
【００２４】
また、前記（ｎ−１）番目の樹脂基材層の前記繊維束の経糸もしくは緯糸の線膨張係数が、前記他の繊維束の糸の前記線膨張係数よりも大きいことが好ましい。 
【手続補正８】
【補正対象書類名】明細書
【補正対象項目名】００２５
【補正方法】変更
【補正の内容】
【００２５】
一方、ｎが奇数の場合、
（ｎ＋１）／２番目の前記配線層を境として、一方の実装面から数えて１番目から（ｎ−１）／２番目までの前記配線層の残銅率の平均値が、（ｎ＋３）／２番目からｎ番目までの前記配線層の残銅率の平均値より小さく、
（ｎ＋１）／２番目から（ｎ−１）番目までの前記樹脂基材層のうち少なくとも１層の前記繊維束の経糸もしくは緯糸の線膨張係数が、前記他の繊維束の糸の前記線膨張係数よりも大きいことが好ましい。